(57)【要約】【課題】乳首部分の衣類の浮き上がりを目立たなくする男性用衣類を提供すること。【解決手段】男性用衣類１は、前身頃２の胸部３の裏面に、開口幅及び深さがそれぞれ所定値である複数の凹部を有する。男性用衣類１では、男性の乳首を収容されるように、凹部の開口幅及び深さは、それぞれ所定の値に設定される。これによって、男性用衣類１では、胸部３の裏面に形成された凹部の内部に男性の乳首が収容されるため、男性用衣類１の表面に現れる乳首の突出度合を低減でき、乳首部分の衣類の浮き上がりを目立たなくすることができる。【選択図】図１
2018090940.tif 000002
【特許請求の範囲】
【請求項１】
前身頃胸部の裏面に、開口幅及び深さがそれぞれ所定値である複数の凹部を有し、
前記凹部は、男性の乳首が収容されるように深さと幅が設定されていることを特徴とする男性用衣類。
【請求項２】
前記凹部は、開口幅が約５ミリメートルから約１センチメートルであり、深さが約２ミリメートルから約５ミリメートルであることを特徴とする請求項１に記載の男性用衣類。
【請求項３】
前記凹部は、当該男性用衣類の裏面に形成されることを特徴とする請求項１または２に記載の男性用衣類。
【請求項４】
当該男性用衣類の前身頃胸部は、布地が２重になっており、
前記凹部は、前記２重になった布地のうち、裏側の布地の裏面に形成されることを特徴とする請求項１または２に記載の男性用衣類。
【請求項５】
前記裏側の布地は、袖底部分及び肩部分まで延伸しており、
前記裏側の布地の前記袖底部分及び前記肩部分は、表側の前身頃本体の袖底部分及び肩部分と縫い合わされ、
前記裏側の布地の裾側の端辺は、前記前身頃本体には縫い付けられていないことを特徴とする請求項４に記載の男性用衣類。
【請求項６】
前記裏側の布地は、２重になっており、いずれの布地にも前記凹部が形成されることを特徴とする請求４または５に記載の男性用衣類。
【請求項７】
前記裏側の布地は、前身頃全面を覆う大きさであることを特徴とする請求項４〜６のいずれか一つに記載の男性用衣類。
【請求項８】
前記凹部は、１重の布地で構成された前記男性用衣類の前身頃胸部に形成されることを特徴とする請求項１または２に記載の男性用衣類。
【請求項９】
前記凹部は、開口形状が略円形或いは略多角形であり、または、溝であり、または、角がＲ形状であることを特徴とする請求項１〜８のいずれか一つに記載の男性用衣類。
【発明の詳細な説明】
【技術分野】
【０００１】
本発明は、男性用衣類に関する。
【背景技術】
【０００２】
環境省は、地球温暖化対策のため、平成１７年の夏から、冷房時の室温を２８℃にしてもオフィスで快適に過ごせる「クールビズ」を提唱している（例えば、非特許文献１参照）。近年では、このクールビズが社会的に定着し、上着を脱いだワイシャツ等の軽装で勤務する人々も多い。
【先行技術文献】
【非特許文献】
【０００３】
【非特許文献１】環境省  平成28年度クールビズについて（お知らせ）、［online］、［平成２８年１１月２２日検索］、インターネット＜ＵＲＬ：http://www.env.go.jp/press/102469.html＞
【発明の概要】
【発明が解決しようとする課題】
【０００４】
しかしながら、クールビズについては、軽装で涼しいと歓迎する意見も多い中、軽装である故に新たな問題も見受けられる。例えば、男性のワイシャツやＴシャツから乳首部分が浮いて見える状態が、女性から嫌悪感を持たれていることがアンケート等でわかっている。すなわち、男性の乳首による衣類の浮き上がりが目につくと、不快と感じる女性が多いことがわかっている。特に、乳首部分が衣類から浮いて見える男性は、胸部が大きい、比較的ふっくらとした体形であると考えられる。
【０００５】
本発明は、上記に鑑みてなされたものであって、乳首部分の衣類の浮き上がりを目立たなくする男性用衣類を提供することを目的とする。
【課題を解決するための手段】
【０００６】
上述した課題を解決し、目的を達成するために、本発明に係る男性用衣類は、前身頃胸部の裏面に、開口幅及び深さがそれぞれ所定値である複数の凹部を有し、凹部は、男性の乳首が収容されるように深さと幅が設定されていることを特徴とする。
【発明の効果】
【０００７】
本発明によれば、乳首部分の衣類の浮き上がりを目立たなくする男性用衣類を提供できる。
【図面の簡単な説明】
【０００８】
【図１】図１は、実施の形態に係る男性用衣類の正面図である。
【図２】図２は、裏返した状態の男性用衣類の平面図である。
【図３】図３は、図２に示す領域Ｐ１の拡大図である。
【図４】図４は、図３のＡ−Ａ線断面図である。
【図５】図５は、男性が従来の男性用衣類を着用した場合を説明する図である。
【図６】図６は、男性が図１に示す男性用衣類を着用した場合を説明する図である。
【図７】図７は、本実施の形態に係る男性用衣類の前身頃胸部の断面図の他の例を示す図である。
【図８】図８は、本実施の形態に係る男性用衣類の前身頃胸部の断面図の他の例を示す図である。
【図９】図９は、図２に示す領域Ｐ１の拡大図の他の例である。
【図１０】図１０は、図２に示す領域Ｐ１の拡大図の他の例である。
【図１１】図１１は、図２に示す領域Ｐ１の拡大図の他の例である。
【図１２】図１２は、図１１に示す凹部が胸部の裏面に形成された男性用衣類を男性が着用した場合を説明する図である。
【図１３】図１３は、実施の形態に係る男性用衣類の他の例の正面図である。
【図１４】図１４は、実施例１に係る男性用衣類を裏返しにした状態を示す正面図である。
【図１５】図１５は、実施例１の他の例に係る男性用衣類を裏返しにした状態を示す正面図である。
【発明を実施するための形態】
【０００９】
以下、図面を参照して、本発明の一実施の形態を詳細に説明する。なお、この実施の形態により本発明が限定されるものではない。また、図面の記載において、同一部分には同一の符号を付して示している。なお、本実施の形態では、男性用衣類の一例として、図１及び図２に示すように、男性用のＶネックＴシャツを例に説明する。
【００１０】
まず、図１及び図２を用いて、実施の形態に係る男性用衣類の構成について説明する。図１は、実施の形態に係る男性用衣類の正面図である。図２は、裏返した状態の男性用衣類１の平面図である。図３は、図２に示す領域Ｐ１の拡大図である。図４は、図３のＡ−Ａ線断面図である。
【００１１】
図１及び図２に示すように、男性用衣類１は、前身頃２の胸部３の裏面、すなわち、男性の体表との接触面に、複数の凹部を有する。図３及び図４に示すように、この複数の凹部２１は、例えば、開口形状がそれぞれ円形であり、行列状に配置される。そして、これらの凹部２１は、男性の乳首を収容できるように、開口幅Ｗ１及び深さＤ１がそれぞれ所定の値に設定される。なお、該凹部２１を囲む凸部２２上面における凹部２１の開口の幅を、開口幅Ｗ１とする。
【００１２】
凹部２１の開口幅Ｗ１は、男性の乳首を収容できるように、男性の乳首の幅より広ければよい。例えば、開口幅Ｗ１は、約５ｍｍ（ミリメートル）〜約１ｃｍ（センチメートル）である。また、凹部２１の深さＤ１は、男性の乳首を収容できるように、男性の乳首の高さと同等であればよい。具体的には、男性の乳首の高さが約２ｍｍ〜約５ｍｍ程度であるため、凹部２１の深さＤ１は、約２ｍｍ〜約５ｍｍに設定される。なお、開口幅Ｗ１や深さＤ１の具体的な値は、これに限定されるものではなく、男性の乳首の平均的な大きさや形状等に応じて任意の値が採用可能である。胸部３の素材は、凹部２１間を乳首が移動する場合であっても、乳首が凹部２１、凸部２２と擦れて痛くないようなソフトなものを選択する。
【００１３】
図５は、男性が従来の男性用衣類を着用した場合を説明する図である。図６は、男性が図１に示す男性用衣類１を着用した場合を説明する図である。説明のため、図５及び図６では、男性の胸部とともに、男性用衣類のうち男性の胸部に接触する前身頃２の胸部３Ｐ，３を身丈方向に切断した断面図を示す。
【００１４】
男性が従来の男性用衣類を着用した場合、図５の領域Ｐ２に示すように、胸部の乳首Ｎの突出に応じて、男性用衣類の胸部３Ｐの表面に乳首部分の浮き上がりＣが生じてしまう。
【００１５】
これに対し、本実施の形態に係る男性用衣類１を着用した場合には、図６に示すように、胸部３の裏面に形成された凹部２１の内部に男性の乳首Ｎが収容される。そして、凸部２２が乳首Ｎを囲むように配置される。したがって、凹部２１及び凸部２２が緩衝部となり、男性用衣類１の表面に現れる乳首Ｎの突出度合が低減される。すなわち、男性用衣類１を着用した場合には、図６の領域Ｐ３に示すように、乳首部分であっても、男性用衣類１の表面がなだらかとなり、体形によらず、乳首部分の浮き上がりを目立たなくすることができる。
【００１６】
このように、本実施の形態に係る男性用衣類１は、前身頃胸部の裏面に、開口幅及び深さがそれぞれ所定値である複数の凹部２１を有する。すなわち、男性用衣類１は、前身頃胸部の裏面に、乳首のような突起による衣類の浮き上がりを吸収するための凹部２１を有するため、乳首部分の衣類の浮き上がりを目立たなくすることができる。
【００１７】
なお、図３では、凹部２１が、男性用衣類１の前身頃２の胸部３の裏面に、行列状に配置された例を説明したが、もちろんこれに限らない。例えば、凹部２１は、胸部３の裏面に不規則に配置されてもよい。具体的には、乳首が円滑に収容できるように、凹部２１は、胸部３の裏面のうち、乳首及び乳首周辺部分に接触する部分には密に配置され、それ以外の部分には疎に配置される。また、素肌とのフィット感を高めるために、凹部２１は、乳首及び乳首周辺部分に接触する部分については、それ以外の部分よりも柔らかい材質であってもよい。また、凹部２１は、乳首及び乳首周辺部分に接触する部分の深さと、それ以外の部分の深さとが異なってもよい。例えば、凹部２１は、乳首及び乳首周辺部分に接触する部分の深さの方が、それ以外の部分の深さよりも深くてもよい。また、各凹部２１の開口幅Ｗ１の大きさや深さＤ１の深さは、各凹部２１の場所に応じて変化してもよい。例えば、乳首及び乳首周辺部分に接触する部分に配置された凹部２１の開口幅Ｗ１は、それ以外の部分に配置された凹部２１の開口幅Ｗ１よりも大きくてもよい。
【００１８】
図７は、本実施の形態に係る男性用衣類の前身頃胸部の断面図の他の例を示す図である。図７に示すように、凹部２１は、前身頃２´本体とは別体の布地３´に形成されてもよい。この場合、前身頃２´の胸部は、布地が２重になっており、凹部２１は、２重になった布地のうち、裏側の布地３´の裏面に形成される。また、布地３´は、ボタンや面ファスナー等によって、前身頃２´から取り外しできるようになっていてもよい。また、布地３´は、前身頃２´よりもソフトな素材にし、素肌とのフィット感を高めてもよい。
【００１９】
図８は、本実施の形態に係る男性用衣類の前身頃胸部の断面図の他の例を示す図である。図８の領域Ｐ４，Ｐ５に示すように、胸部３Ａの凹部が、角がＲ形状であってもよい。この場合、凹部の角が丸いため、乳首が男性用衣類の裏面と擦れても痛くない。
【００２０】
また、図３では、凹部２１の開口形状が円形である場合を例に説明したが、もちろん、円形に限らず、楕円形であってもよい。すなわち、凹部２１の開口形状は、略円形であってもよい。また、凹部２１の開口形状は、乳首Ｎが収容できれば足りるため、略円形に限らず、略多角形であってもよい。
【００２１】
図９及び図１０は、図２に示す領域Ｐ１の拡大図の他の例である。図９に示すように、胸部３Ｂの裏面に、四角いマス目状の凹部２１Ｂを形成してもよい。また、図１０に示すように、胸部３Ｃの裏面に、複数の六角形の凹部２１Ｃを蜂の巣状に形成してもよい。この場合、凹部２１Ｂ，２１Ｃの開口幅Ｗ２，Ｗ３は、男性の乳首を収容できるように、男性の乳首より広ければよい。なお、凹部２１Ｂ，２１Ｃの深さは、男性の乳首の高さと同等であればよい。また、凹部２１Ｂ，２１Ｃのようにドットの大きいメッシュ素材を胸部３の裏面に適用した場合には、通気性に優れ、着心地のよさを保持することができる。
【００２２】
また、胸部３の裏面に形成される凹部は、溝であってもよい。図１１は、図２に示す領域Ｐ１の拡大図の他の例である。図１２は、図１１に示す凹部が胸部３Ｄの裏面に形成された男性用衣類を男性が着用した場合を説明する図である。
【００２３】
図１１及び図１２に示すように、本実施の形態では、凹部として、例えば、身丈方向に略平行に延伸する溝２１Ｄを、胸部３Ｄの裏面に形成してもよい。この場合も、溝２１Ｄの開口幅Ｗ４は、男性の乳首を収容できるように、男性の乳首より広ければよい。そして、溝２１Ｄの深さＤ４は、男性の乳首の高さと同等であればよい。また、溝２１Ｄを形成した場合には、図１２の矢印のように、男性の体が上下に動いた場合であっても、乳首Ｎは、溝２１Ｄ内で上下に自由に動くことができ、乳首Ｎが男性用衣類の裏面と擦れずにくく、痛みも少ない。なお、溝２１Ｄは、身丈方向との交差方向に延伸してもよい。
【００２４】
また、図１３は、実施の形態に係る男性用衣類の他の例の正面図である。図１３の男性用衣類１Ｅに示すように、上述した凹部或いは溝は、乳首を収容できれば足りるため、前身頃２の胸部の裏面のうち、乳首及び乳首周辺を含む一部領域３Ｅに形成すればよい。なお、各溝２１Ｄの開口幅Ｗ４や深さＤ４は、場所に応じて変化させてもよい。
【００２５】
なお、上述した凹部２１，２１Ｂ，２１Ｃ及び溝２１Ｄは、目開、開口率、線径等を設定可能である織機で製造するほか、立体プリンタを用いて製造することも可能である。例えば、ホールガーメント（登録商標）等の無縫製衣類の作成技術を用いて、連続する１重の布地で構成された衣類の前身頃胸部の裏面および表面や、裏面のみに上述した凹部２１，２１Ｂ，２１Ｃ及び溝２１Ｄが構成されてもよい。また、凹部２１，２１Ｂ，２１Ｃ及び溝２１Ｄは、これらの部分の周囲を囲むように立毛することによって形成してもよい。例えば、立毛して凹部を囲む形状の布地として、オクタ（登録商標）（帝人株式会社製）、ダブルラッセル（例えば、山口ニット株式会社製）を採用できる。このように、立毛して凹部２１，２１Ｂ，２１Ｃ及び溝２１Ｄのような空間を作ることによって、通気性もよくなり、また、肌当たりが柔らかくなるため着心地もよくなる。
【００２６】
また、実施の形態に係る男性用衣類として、いわゆるＶネックＴシャツを例に説明したが、もちろんこれに限らない。実施の形態に係る男性用衣類は、例えば、首回りの形が、Ｕネック、ラウンドネック、クルーネック、ボートネック、キーネック、ヘンリーネック、或いは、ハイネックであってもよい。また、実施の形態に係る男性用衣類は、Ｔシャツに限らず、襟があるポロシャツ等でもよく、また、ボタンやファスナー等で、前身頃の左右を分離できるＹシャツ等であってもよい。また、実施の形態に係る男性用衣類は、白、グレー、ベージュ、黒等、インナーに合う色であれば、どの色でもよい。この中でも、男性用衣類の色として、グレー、ベージュを選択することによって、乳首の色の透けも低減することができる。
【実施例１】
【００２７】
さらに、本実施の形態の実施例１について説明する。図１４は、実施例１に係る男性用衣類を裏返しにした状態を示す正面図である。
【００２８】
図１４に示すように、実施例１に係る男性用衣類１Ｆは、表地となる前身頃本体２Ｆと、該前身頃本体２Ｆとは別体の裏地３Ｆとを有する。裏地３Ｆの裏面に凹部２１，２１Ｂ，２１Ｃ及び溝２１Ｄが形成される。
【００２９】
そして、裏地３Ｆは、肩部分まで布地を伸ばし、肩部３１を前身頃本体２Ｆの肩部と縫い合わせ、縫い目が表面にひびかないようにしている。
【００３０】
また、裏地３Ｆは、袖底部分まで布地を伸ばし、袖底部３２の端部を前身頃本体２Ｆの袖底部と縫い合わせ、縫い目が表面にひびかないようにしている。そして、袖底部３２は、布地を２重にし、脇汗の表側の染み出しを防止する。この際、袖底部３２は、２枚の布地のいずれの裏面にも、凹部２１，２１Ｂ，２１Ｃ及び溝２１Ｄがあってもよい。もちろん、袖底部３２は、２重である布地のうち、体表側の裏地の裏面にのみ凹部２１，２１Ｂ，２１Ｃ及び溝２１Ｄがあってもよい。男性用衣類１Ｆは、袖底部３２に、凹部２１，２１Ｂ，２１Ｃ及び溝２１Ｄのような空間を設けることによって、脇部分の通気性を確保でき、快適な着用を可能とする。
【００３１】
そして、裏地３Ｆは、脇部と、前身頃本体２Ｆの脇部とを縫い合わせている。また、布地３Ｆは、襟周り部３３と、前身頃本体２Ｆの襟周り部分と縫い合わせても縫い合わせなくともよい。ただし、裏地３Ｆは、襟元部分３３ａを、前身頃本体２Ｆの襟元部分に縫い合わせている。なお、襟周り部３３は、前身頃本体２Ｆの襟周り部分と縫い合わせない場合には見返しで止めて、裏地３Ｆがめくれないようにする。
【００３２】
また、裏地３Ｆの裾側の左右の端辺３４は、前身頃本体２Ｆとは縫い合わせない。これによって、裏地３Ｆの裾側は、前身頃本体２Ｆからはフリーとなり、男性用衣類１Ｆ着用時には、裏地３Ｆは、ふわふわとゆらぐ。このように、裏地３Ｆがふわふわとゆらぐことによって、通気性がよくなるとともに、乳首部分の衣類の浮き上がりがさらに目立たなくなるという効果がある。なお、端辺３４は、裏地３Ｆがめくれないように、見返しで止めてある。
【００３３】
また、袖底部３２以外の部分に限らず、裏地３Ｆ全てを２重にして、通気性や吸汗性の向上を図ってもよい。この場合、２重である裏地において、凹部２１，２１Ｂ，２１Ｃ及び溝２１Ｄは、いずれの布地においても裏面に形成してもよく、また、２重である裏地のうち内側の裏地については表面に形成してもよい。
【００３４】
また、本実施例１の他の例について説明する。図１５は、実施例１の他の例に係る男性用衣類を裏返しにした状態を示す正面図である。図１５に示す男性用衣類１Ｇでは、裏地３Ｇを、男性用衣類１Ｇの前身頃全面を覆うように裾まで伸ばす。さらに、男性用衣類１Ｇは、裏地３Ｇの全てが２重である。男性用衣類１Ｇは、裏地３Ｇが２重であり、さらに、裾まで伸びているため、生地のめくれ防止、通気性向上、及び、腹部の冷え防止を図ることができる。例えば、男性用衣類１Ｇは、図１５中Ａに示す様に、各裏地３Ｇの凹部２１が着用者側を向き、かつ、凹部２１が重なるように配置された２重の裏地３Ｇを有する。このように、各裏地３Ｇの凹部２１が着用者側を向き、かつ、凹部２１が重なるように２つの裏地３Ｇを重ねた場合には、着用者側の裏地３Ｇが有する凹部２１が乳首により生じる突起を収容できなかった場合にも、表側の裏地３Ｇが有する凹部２１が突起を吸収するので、表側に生じる突起を軽減することができる。
【００３５】
なお、男性用衣類１Ｇでは、男性用衣類１Ｆと同様に、裏地３Ｇの裾側の端辺３４Ｇと、前身頃本体の裾とを縫い合わせず、着用時に裏地３Ｇがふわふわとゆらぐようにしてもよい。もちろん、男性用衣類１Ｇでは、裏地３Ｇの裾側の端辺３４Ｇと前身頃本体の裾とを縫い合わせてもよい。また、図１５に示す例では、２重の裏地３Ｇを男性用衣類１Ｇの前身頃全面を覆うように裾まで伸ばす例について記載したが、実施形態は、これに限定されるものではない。例えば、図１や図２に示した男性用衣類１、図１３に示した男性用衣類１Ｅ、および図１４に示した男性用衣類１Ｆは、図１５に示した男性用衣類１Ｇと同様に、２重の裏地を有していてもよい。また、上述した各男性用衣類１、１Ｅ、１Ｆ、１Ｇは、それぞれ任意の裏地３、３Ａ〜３Ｄを有していてもよい。すなわち、上述した実施の形態は、あくまで一例であり、上述した各構成および構造は、任意の組み合わせが採用可能である。
【００３６】
以上、本発明者によってなされた発明を適用した実施の形態について説明したが、本実施の形態による本発明の開示の一部をなす記述及び図面により本発明は限定されることはない。すなわち、本実施の形態に基づいて当業者等によりなされる他の実施の形態、実施例及び運用技術等は全て本発明の範疇に含まれる。
【符号の説明】
【００３７】
１，１Ｅ，１Ｆ，１Ｇ  男性用衣類
２，２´  前身頃
３  胸部
３´  布地
３Ｆ，３Ｇ  裏地
２１，２１Ｂ，２１Ｃ  凹部
２１Ｄ  溝
２２  凸部
３１  肩部
３２  袖底部
３３  襟周り部
３３ａ  襟元部分
３４，３４Ｇ  端辺
【図１】
2018090940.tif 000003
【図２】
2018090940.tif 000004
【図３】
2018090940.tif 000005
【図４】
2018090940.tif 000006
【図５】
2018090940.tif 000007
【図６】
2018090940.tif 000008
【図７】
2018090940.tif 000009
【図８】
2018090940.tif 000010
【図９】
2018090940.tif 000011
【図１０】
2018090940.tif 000012
【図１１】
2018090940.tif 000013
【図１２】
2018090940.tif 000014
【図１３】
2018090940.tif 000015
【図１４】
2018090940.tif 000016
【図１５】
2018090940.tif 000017